(57)【要約】      （修正有）【課題】防火水槽と上水用受水槽を一つの水槽をもって共用し、防火水槽に貯蔵される水が死水となり腐敗することを防止すると共に、防火水槽に残留する水の水位を保証する。【解決手段】受水槽１の下部に消火用水送水口５を設け、防火水槽としての必要水量が確保される位置ｂに受水槽用送水口４を設け、連結部に消火用水水位保持穴１０を設ける。吸い上げ管９と下降管１１を設けることにより、水位ｂより下位の任意の位置に受水槽用送水口４を設置することができる。【選択図】図２
0003118573.tif 000002
【実用新案登録請求の範囲】
【請求項１】
下部に消火用水送水口５を設け、消火用水の必要水位ｂの位置に受水槽用送水口４を設け、底部に近い位置に開口する吸い上げ管９を設け、吸い上げ管９と受水槽用送水口４を連結し、連結部９Ａの水位ｂ近傍の位置に消火用水水位保持穴１０を設けたことを特徴とする防火水槽兼用受水槽。
【請求項２】
下部に消火用水送水口５を設け、吸い上げ管９と下降管１１を設けてそれらを消火用水の必要水位ｂの位置で連結し、連結部９Ａに消火用水水位保持穴１０を設け、下降管１１を受水槽用送水口４に連結したことを特徴とする防火水槽兼用受水槽。
【請求項３】
下部に消火用水送水口５を設け、底部に近い位置に開口する吸い上げ管９の内部に下降管１１を設け、吸い上げ管９の上端を消火用水の必要水位ｂの位置にネジ１４で締結したキャップ１３を設け、キャップ１３に消火用水水位保持穴１０を設け、下降管１１を受水槽用送水口４と連結して保持し、吸い上げ管９を別に支持材１２をもって保持する二重管型受水槽用送水口１５を設けたことを特徴とする請求項２に記載する防火水槽兼用受水槽。
【考案の詳細な説明】
【技術分野】
【０００１】
本考案は、防火水槽および受水槽に関するものである。
【背景技術】
【０００２】
ホテル、病院、マンション、公共施設などのビルディング等、上水用の受水槽と防火水槽が必要な建築物が多数あるが、従来この二つの水槽は別個のものとして設置されている。そのため、水槽を設置するスペースが二重に必要であった。
【０００３】
防火水槽は火災等緊急の必要時以外には使用せず、水を保存しておくことが必要である。そのため貯蔵した水を長期間にわたり動かすことなく放置することになる。結果貯蔵した水がいわゆる死水となって腐敗し、悪臭を放つなどの問題がある。
【０００４】
水槽の設置スペースを削減するためには、上水用受水槽と防火水槽を１個の水槽で兼用することが発想される。図１は、その構造の概念を示す正面断面図である。受水槽１に、マンホール２、給水口３、通気口７、オーバーフロー６、水抜き口８などとともに、消火用水送水口５を下部に設け、消火用水が残されるように防火水槽の必要水位を示す仮想線ｂの位置に受水槽用送水口４を設置すれば、受水槽用送水口４から防火水槽部分に貯蔵される消火用水が流出することはなく、初期の目的を達成できることになる。
【０００５】
消火用水送水口５の取り付け位置の水位ｃから、受水槽用送水口４の水位ｂの間が、防火水槽となり、受水槽用送水口４の水位ｂとオーバーフローの水位ａとの間の水が上水用受水槽として使用される。しかし、この方法では、消火用水として貯蔵される部分の水は、ほとんど動くことがなく、死水となって腐敗する可能性が大である。そして、時折腐敗した水が上水に混入して流出する恐れがあり問題である。
【０００６】
防火水槽の水が悪臭を放つ問題に対する改善策としては、文献特開平１０−１０２５５４などにその対策が示されている。
【特許文献１】特開２００３−００００００号公報  しかし、これは単純に、死水の腐敗臭に対する対策であって、設置スペースの削減のため防火水槽と上水用受水槽とを兼用する上での問題との双方を解決するものではない。
【考案の開示】
【考案が解決しようとする課題】
【０００７】
防火用水を確実に保存し、かつ水の腐敗を防ぎ、防火水槽と上水用受水槽とを１個の水槽で兼用できるようにすることが本考案の課題である。
また、ステンレスパネルタンク、ＦＲＰパネルタンクなどでは、受水槽用送水口４を水位ｂより下位の任意の位置に設けたいという課題がある。
【課題を解決するための手段】
【０００８】
図２は、本考案による課題解決の手段を示す構造の概念を示す正面断面図である。水槽の下部に消火用送水口５を設け、防火用水の必要量が確保される高さに受水槽用送水口４を設け、防火用水部分のほぼ最下部まで達する吸い上げ管９を設置すると共に、受水槽用送水口４を消火用水の必要水位ｂが保たれる位置に設置し、吸い上げ管９との連結部９Ａの配管の一部に消火用水水位保持穴１０を設けるものである。
【０００９】
また、受水槽用送水口４を水位ｂより下位の任意の位置に設けたいという課題に対する解決手段を図３に示す。これは吸い上げ管９の他に下降管１１を設け、吸い上げ管９と下降管１１の連結部を水位ｂに保ち、連結部に消火用水水位保持穴１０を設けるものである。
【考案の効果】
【００１０】
図２に示す本考案の構造の水槽は、給水口３から給水された水が満水時にはオーバーフロー６の位置によって決まる水位ａとなる。貯蔵された水は、主に吸い上げ管９を通過して受水槽用送水口４から上水が送水される。従って防火水槽部分に貯蔵される消火用水が死水となることはない。吸い上げ管９の開口部が受水槽１の底に近い位置にあれば、受水槽の底付近の水は吸い上げられる水によって動かされ、死水となることはない。通常は送水されると新たに水が供給されるが、万一給水が停止した状態で上水としての送水が続いた場合、貯蔵してある水の水位は低下し、やがて水位ｂに達する。水面から上の部分には通気口７から流入した空気で占められるため、水位がｂになると消火用水水位保持穴１０から空気が受水槽用送水口４内に入り、吸い上げ管９から水を吸い上げることが抑止され、防火水槽部分の水の水位が水位ｂより低下することはない。
【００１１】
図３に示す本考案の構造の水槽は、受水槽と防火水槽としての作用は図２に示すものと同一であり、かつ下降管１１の作用によって受水槽用送水口４を水位ｂより下位であれば任意の位置に設置することができる。
【００１２】
図４に、受水槽用送水口４を水位ｂより下位の任意の位置に設けるための第二の手段を示す。これは、二重管型受水槽用送水口１５を設けるものであって、吸い上げ管９の内部に下降管１１を設ける二重管構造とし、吸い上げ管９の上端にキャップ１３を設け、キャップ１３に消火用水水位保持穴１０を設け、下降管１１は受水槽用送水口４と連結して保持し、吸い上げ管９を別に支持材１２をもって保持するものである。キャップ１３はネジ１４をもって吸い上げ管９に締結される。なお支持材１２は、下降管１１に連結されていてもよい。キャップ１３は適宜取り外しできるため、吸い上げ管９、下降管１１内に混入した異物やスケールの除去作業をすることができる。
【考案を実施するための最良の形態】
【００１３】
受水槽にはステンレスパネルタンクなどが多く使用される。ステンレスパネルタンクを使用する防火水槽兼用受水槽には、受水槽用送水口が任意の位置に設置できる図４に示す考案が適する。
【実施例１】
【００１４】
図５は、ステンレスパネルタンクを使用した本考案の防火水槽兼用受水槽の実施例の正面図であり、図６はその上面図である。受水槽１にマンホール２、給水口３、通気口７、オーバフロー６、水抜き口８、二重管型受水槽用送水口１５、消火用水送水口５を設け、架台１６上に載置した。この他、給水口３の下部に防波板、水槽の内外にはしごなどを設けたが説明を省略する。本実施例は、考案の効果の説明通りの作用が得られた。
【図面の簡単な説明】
【００１５】
【図１】防火水槽と受水槽を１水槽で兼用する構造の概念を示す正面断面図である。
【図２】本考案による課題解決の手段を示す構造の概念を示す正面断面図である。
【図３】受水槽用送水口４を水位ｂより下位の任意の位置に設けたいという課題に対する解決手段をに示す図である。
【図４】二重管型受水槽用送水口１５の構造を示す図である。
【図５】ステンレスパネルタンクを使用した本考案の防火水槽兼用受水槽の実施例の正面図である。
【図６】ステンレスパネルタンクを使用した本考案の防火水槽兼用受水槽の実施例の上面図である。
【符号の説明】
【００１６】
１    受水槽
２    マンホール
３    給水口
４    受水槽用送水口
５    消火用水送水口
６    オーバーフロー
７    通気口
８    水抜き口
９    吸い上げ管
９Ａ  連結部
１０  消火用水水位保持穴
１１  下降管
１２  支持材
１３  キャップ
１４  ネジ
１５  二重管型受水槽送水口
１６  架台
ａ  満水時水位を示す仮想線
ｂ  消火用水の必要水位を示す仮想線
ｃ  消火用水送水口の水位を示す仮想線
【図１】
0003118573.tif 000003
【図２】
0003118573.tif 000004
【図３】
0003118573.tif 000005
【図４】
0003118573.tif 000006
【図５】
0003118573.tif 000007
【図６】
0003118573.tif 000008
【手続補正書】
【提出日】平成17年11月10日(2005.11.10)
【手続補正１】
【補正対象書類名】明細書
【補正対象項目名】０００６
【補正方法】変更
【補正の内容】
【０００６】
防火水槽の水が悪臭を放つ問題に対する改善策としては、文献特開平１０−１０２５５４などにその対策が示されている。
しかし、これは単純に、死水の腐敗臭に対する対策であって、設置スペースの削減のため防火水槽と上水用受水槽とを兼用する上での問題との双方を解決するものではない。
【特許文献１】特開平１０−１０２５５４号公報
【手続補正２】
【補正対象書類名】明細書
【補正対象項目名】００１５
【補正方法】変更
【補正の内容】
【００１５】
【図１】防火水槽と受水槽を１水槽で兼用する構造の概念を示す正面断面図である。
【図２】本考案による課題解決の手段を示す構造の概念を示す正面断面図である。
【図３】受水槽用送水口４を水位ｂより下位の任意の位置に設けたいという課題に対する解決手段を示す図である。
【図４】二重管型受水槽用送水口１５の構造を示す図である。
【図５】ステンレスパネルタンクを使用した本考案の防火水槽兼用受水槽の実施例の正面図である。
【図６】ステンレスパネルタンクを使用した本考案の防火水槽兼用受水槽の実施例の上面図である。
【手続補正書】
【提出日】平成17年12月1日(2005.12.1)
【手続補正１】
【補正対象書類名】図面
【補正対象項目名】図２
【補正方法】変更
【補正の内容】
【図２】
0003118573.tif 000009